(57)【要約】【課題】ガンマ線核種の計測装置において、ガンマ線核種を迅速で高精度に計測することができる。【解決手段】プロセス溶液を流通可能な下降配管１７における被検出部２１と、被検出部２１に対向配置されるコリメータ２６と、コリメータ２６における被検出部２１とは反対側に対向配置される検出器２７と、被検出部２１とコリメータ２６と検出器２７とを取り囲む第１遮蔽体２４とを設ける。【選択図】図１
2014095605.tif 000002
【特許請求の範囲】
【請求項１】
プロセス溶液を循環可能な循環経路と、
前記循環経路に対向配置されるコリメータと、
前記コリメータにおける前記循環経路とは反対側に対向配置される検出器と、
前記循環経路における被検出部と前記コリメータと前記検出器とを取り囲む第１遮蔽体と、
を有することを特徴とするガンマ線核種の計測装置。
【請求項２】
前記循環経路は、貯留槽に貯留されたプロセス溶液を循環する配管により構成されることを特徴とする請求項１に記載のガンマ線核種の計測装置。
【請求項３】
前記第１遮蔽体と前記循環経路を取り囲む第２遮蔽体が設けられることを特徴とする請求項２に記載のガンマ線核種の計測装置。
【請求項４】
前記検出器を取り囲む補助遮蔽体が設けられることを特徴とする請求項１から３のいずれか一つに記載のガンマ線核種の計測装置。
【請求項５】
前記コリメータは、通路断面積の大きさが相違する複数の通過孔を有し、この複数の通過孔が前記循環経路に対向する位置に選択的に移動可能であることを特徴とする請求項１から４のいずれか一つに記載のガンマ線核種の計測装置。
【請求項６】
前記プロセス溶液は、使用済の核燃料を再処理する過程で発生する溶液であることを特徴とする請求項１から５のいずれか一つに記載のガンマ線核種の計測装置。
【発明の詳細な説明】
【技術分野】
【０００１】
本発明は、原子炉内で使用された使用済核燃料を再処理するときに発生するプロセス溶液中におけるガンマ線核種を計測するガンマ線核種の計測装置に関するものである。
【背景技術】
【０００２】
原子力発電プラントに使用される原子炉として、加圧水型原子炉や沸騰型原子炉などがある。このような原子炉では、内部に多数の燃料集合体（核燃料）を配置すると共に、軽水を原子炉冷却材及び中性子減速材として使用し、核燃料が核分裂することで発生した熱により軽水を加熱し、この加熱された軽水（蒸気）により発電を行っている。
【０００３】
この核燃料は、原子炉で使用すると、ウラン２３５が核分裂して異なる物質、例えば、セシウム、ストロンチウム、ヨウ素、キセノンなどになって減損していくことから、所定期間経過すると定格の出力を出せなくなる。そのため、使用済の核燃料を原子炉から取り出し、再処理施設での再処理が必要となる。即ち、まず、原子炉で使用済みになった核燃料を使用済燃料輸送容器（キャスク）に入れて再処理施設に搬送し、貯蔵プールで冷却しながら貯蔵する。次に、放射能が低下した使用済核燃料を細かくせん断し、燃料の部分を硝酸で溶かしてウラン、プルトニウム、核分裂生成物に分離する。そして、ウラン溶液とプルトニウム溶液を精製、脱硝してウラン酸化物とウラン・プルトニウム混合酸化物の２種類の製品を作る。再処理工程で生じる核分裂生成物を含む廃液は、強い放射能を帯びていることから、高レベルの放射性廃棄物となり、キャニスタで冷却されて固化される。
【０００４】
このような再処理施設にて、それぞれの処理で発生する溶液に対して、放射性核種（ガンマ線核種）の解析を行う必要がある。従来のガンマ線核種の計測装置としては、例えば、下記特許文献１に記載されたものがある。この特許文献１に記載されたガンマ放射線のオンライン測定装置は、加圧水型原子炉の一次冷却回路内の水によって放出されるガンマ放射線のオンライン測定装置であって、分析する液体を計量する容積と、この容積に面して置かれた放射線検出器と、容積と放射線検出器との間に置かれたコリメータとを設けたものである。
【先行技術文献】
【特許文献】
【０００５】
【特許文献１】特開平０２−０９６６８４号公報
【発明の概要】
【発明が解決しようとする課題】
【０００６】
従来のガンマ放射線のオンライン測定装置では、分析する液体をダクトにより容積に供給して貯留し、この容積内の液体から出るガンマ線がコリメータを通して放射線検出器に入力することで、この放射線検出器がガンマ放射線の強さを測定している。即ち、分析する液体を一時的に容積に貯留する必要があることから、迅速な測定が困難となるという問題がある。
【０００７】
本発明は、上述した課題を解決するものであり、ガンマ線核種を迅速で高精度に計測することができるガンマ線核種の計測装置を提供することを目的とする。
【課題を解決するための手段】
【０００８】
上記の目的を達成するための本発明のガンマ線核種の計測装置は、プロセス溶液を循環可能な循環経路と、前記循環経路に対向配置されるコリメータと、前記コリメータにおける前記循環経路とは反対側に対向配置される検出器と、前記循環経路における被検出部と前記コリメータと前記検出器とを取り囲む第１遮蔽体と、を有することを特徴とするものである。
【０００９】
従って、プロセス溶液は循環経路を移動し、このプロセス溶液から照射されるガンマ線がコリメータを通して検出器に入ることとなり、検出器はプロセス溶液中のガンマ線の強度をオンラインで高精度に測定することができ、ガンマ線核種を迅速で高精度に計測することができる。また、循環経路の被検出部とコリメータと検出器が第１遮蔽体により取り囲まれていることから、プロセス溶液から照射されるガンマ線の外部への漏洩を防止することができる。
【００１０】
本発明のガンマ線核種の計測装置では、前記循環経路は、貯留槽に貯留されたプロセス溶液を循環する配管により構成されることを特徴としている。
【００１１】
従って、プロセス溶液は、貯留槽に貯留されて配管内を循環することで、検出器はプロセス溶液中のガンマ線の強度をオンラインで連続して計測することとなり、計測精度を向上することができる。
【００１２】
本発明のガンマ線核種の計測装置では、前記第１遮蔽体と前記循環経路を取り囲む第２遮蔽体が設けられることを特徴としている。
【００１３】
従って、被検出部とコリメータと検出器が第１遮蔽体により取り囲まれ、装置全体が第２遮蔽体により取り囲まれることから、ガンマ線の外部漏洩を確実に防止し、安全性を向上することができる。
【００１４】
本発明のガンマ線核種の計測装置では、前記検出器を取り囲む補助遮蔽体が設けられることを特徴としている。
【００１５】
従って、検出器は、補助遮蔽体により取り囲まれることで、入力部以外の位置にガンマ線が照射されることはなく、検出器の劣化を防止することができる。
【００１６】
本発明のガンマ線核種の計測装置では、前記コリメータは、通路断面積の大きさが相違する複数の通過孔を有し、この複数の通過孔が前記循環経路に対向する位置に選択的に移動可能であることを特徴としている。
【００１７】
従って、ガンマ線核種の種類に応じて、コリメータにおける各通過孔を選択的に循環経路に対向する位置に移動することで、異なるガンマ線核種の強度を高精度に計測することができる。
【００１８】
本発明のガンマ線核種の計測装置では、前記プロセス溶液は、使用済の核燃料を再処理する過程で発生する溶液であることを特徴としている。
【００１９】
従って、使用済の核燃料を再処理する過程で発生する溶液に対して、発生するガンマ線核種を迅速で高精度に計測することができ、核燃料の再処理作業の作業性を向上することができる。
【発明の効果】
【００２０】
本発明のガンマ線核種の計測装置によれば、プロセス溶液を循環可能な循環経路と、循環経路に対向配置されるコリメータと、コリメータにおける循環経路とは反対側に対向配置される検出器と、循環経路における被検出部とコリメータと検出器とを取り囲む第１遮蔽体とを設けるので、ガンマ線核種を迅速で高精度に計測することができる。
【図面の簡単な説明】
【００２１】
【図１】図１は、本発明の実施例１に係るガンマ線核種の計測装置を表す概略構成図である。
【図２】図２は、実施例１のガンマ線核種の計測装置を表す概略図である。
【図３】図３は、実施例１のガンマ線核種の計測装置におけるコリメータを表す概略図である。
【図４】図４は、実施例１のガンマ線核種の計測装置による計測結果を表すグラフである。
【図５】図５は、実施例１のガンマ線核種の計測装置による別の計測結果を表すグラフである。
【図６】図６は、使用済核燃料の再処理工程を表す概略図である。
【図７】図７は、本発明の実施例２に係るガンマ線核種の計測装置を表す概略構成図である。
【発明を実施するための形態】
【００２２】
以下に添付図面を参照して、本発明のガンマ線核種の計測装置の好適な実施例を詳細に説明する。なお、この実施例により本発明が限定されるものではなく、また、実施例が複数ある場合には、各実施例を組み合わせて構成するものも含むものである。
【実施例１】
【００２３】
図１は、本発明の実施例１に係るガンマ線核種の計測装置を表す概略構成図、図２は、実施例１のガンマ線核種の計測装置を表す概略図、図３は、実施例１のガンマ線核種の計測装置におけるコリメータを表す概略図、図４は、実施例１のガンマ線核種の計測装置による計測結果を表すグラフ、図５は、実施例１のガンマ線核種の計測装置による別の計測結果を表すグラフ、図６は、使用済核燃料の再処理工程を表す概略図である。
【００２４】
使用済核燃料の再処理工程は、図６に示すように、使用済核燃料の受入れ・貯蔵工程と、せん断・溶解工程と、分離工程と、精製工程と、脱硝工程と、製品貯蔵工程とから構成されている。
【００２５】
受入れ・貯蔵工程は、トラック１０１により搬送されたキャスク１０２を燃料プール１０３に投入し、冷却水内で使用済核燃料１０４を取り出して一時的に貯留するものである。せん断・溶解工程は、使用済核燃料１０４を燃料プール１０３から取り出し、せん断装置１０５によりせん断した後、溶解槽１０６に投入して溶解するものである。このせん断工程では、廃ガスが発生することから、図示しないが、発生した廃ガスは廃ガス処理装置へ送り出して処理している。そして、溶解工程では、溶解槽１０６に、硝酸１０７を貯留しており、この硝酸１０７により使用済核燃料１０４を溶解させることで、ウラン１０８、プルトニウム１０９、核分裂生成物（高レベル放射性廃棄物）などの燃料溶解液を生成する。また、溶解工程では、遠心分離機などにより、硝酸１０７に溶解しないで燃料溶解液に含まれる被覆管などの不溶解残渣（異物）１１１を取り除き、この異物（不溶解残渣）１１１を所定の貯蔵容器に収容して保管する。
【００２６】
分離工程は、燃料溶解液から溶液として、ウラン溶液やプルトニウム溶液を分離するものである。具体的に、分離工程では、まず、ウラン溶液及びプルトニウム溶液から核分裂生成物１１０を取り除き、ガラス材料により固化して保管する。そして、分離工程では、次に、ウラン溶液とプルトニウム溶液とを分離する。
【００２７】
精製工程は、ウラン溶液とプルトニウム溶液をそれぞれ硝酸ウラン溶液と硝酸プルトニウム溶液に精製すると共に、硝酸ウラン溶液の一部を硝酸プルトニウム溶液に混合して硝酸ウラン／プルトニウム溶液を精製するものである。この場合、精製した硝酸ウラン／プルトニウム溶液に対して富化度を調整している。脱硝工程は、硝酸ウラン溶液と硝酸ウラン／プルトニウム溶液を脱硝し、ウラン酸化物とウラン／プルトニウム混合酸化物を精製するものである。
【００２８】
製品貯蔵工程は、ウラン酸化物とウラン／プルトニウム混合酸化物をそれぞれ製品１１２，１１３として貯蔵する。その後、貯蔵したウラン酸化物とウラン／プルトニウム混合酸化物を適宜混合することで、装荷用燃料を製造することができる。
【００２９】
実施例１のガンマ線核種の計測装置は、上述した使用済核燃料を再処理する過程で発生するプロセス溶液に対して、ガンマ線核種を計測するものである。例えば、実施例１のガンマ線核種の計測装置は、せん断・溶解工程で生成された燃料溶解液、分離工程で分離されたウラン溶液やプルトニウム溶液、精製工程で精製された硝酸ウラン溶液や硝酸ウラン／プルトニウム溶液などに対してガンマ線核種を計測する。
【００３０】
図１に示すように、実施例１のガンマ線核種の計測装置１１において、計測室１２は、床と壁と天井が第２遮蔽体１３により形成されており、外部へのガンマ線の漏洩が防止されている。この計測室１２は、貯留タンク１４が設置され、内部にガンマ線を計測するプロセス溶液が貯留されている。一次貯留タンク１５は、この貯留タンク１４の上方に配置され、貯留タンク１４から一次貯留タンク１５へ向けて上昇配管１６が設けられ、一次貯留タンク１５から貯留タンク１４へ向けて下降配管１７が設けられている。
【００３１】
上昇配管１６は、フィルタ１８を介して貯留タンク１４中のプロセス溶液に浸漬すると共に、圧縮空気供給源１９からの圧縮空気供給配管２０が貯留タンク１４中のプロセス溶液の浸漬位置に連結されている。下降配管１７は、中間部が迂回して所定長さの被検出部２１が形成されている。また、一次貯留タンク１５は、貯留するプロセス溶液から発生するガスを排出するガス排出配管２２が上部に連結されており、このガス排出配管２２は、図示しないオフガス処理装置に連結されている。
【００３２】
この場合、貯留タンク１４、一次貯留タンク１５、上昇配管１６、下降配管１７により、プロセス溶液を循環可能な本発明の循環経路が構成されている。
【００３３】
計測室１２は、第２遮蔽体１３により形成された壁１３ａの開口部２３に第１遮蔽体２４が嵌合して固定されており、この第１遮蔽体２４は、壁１３ａから計測室１２側へ水平に延設されている。制御室２５は、計測室１２に壁１３ａを挟んで隣接して設けられており、第１遮蔽体２４は、内部に制御室２５に開口する収容部２４ａが設けられている。そして、下降配管１７は、被検出部２１が第１遮蔽体２４の収容部２４ａを上下に貫通しており、収容部２４ａに被検出部２１に対向するコリメータ２６が配置されている。
【００３４】
また、検出器２７は、補助遮蔽体２８内に設けられ、この補助遮蔽体２８は、制御室２５側から第１遮蔽体２４の収容部２４ａに嵌合して固定されることで、検出器２７は、コリメータ２６における被検出部２１とは反対側の位置に対向して配置されることとなる。この場合、補助遮蔽体２８は、コリメータ２６と対向する位置に貫通孔２８ａが形成されている。そして、検出器２７は、ケーブル２９を介して制御室２５の制御部３０に接続されている。
【００３５】
このため、下降配管１７における被検出部２１とコリメータ２６と検出器２７は、第１遮蔽体２４に取り囲まれ、循環経路（貯留タンク１４、一次貯留タンク１５、上昇配管１６、下降配管１７）と第１遮蔽体２４（被検出部２１、コリメータ２６、検出器２７）は、第２遮蔽体１３に取り囲まれることとなる。
【００３６】
ところで、コリメータ２６は、図１から図３に示すように、本体３１に通路断面積の大きさが相違する複数（本実施例では、４個）の通過孔３２（３２ａ，３２ｂ，３２ｃ，３２ｄ）が設けられている。そして、移動装置３３は、本体３１を通過孔３２の直行する水平方向に往復移動可能となっており、各通過孔３２ａ，３２ｂ，３２ｃ，３２ｄが下降配管１７の被検出部２１に対向する位置に選択的に位置決め可能となっている。即ち、下降配管１７の被検出部２１と検出器２７との間にコリメータ２６が配置されていることから、移動装置３３により本体３１を移動することで、各通過孔３２ａ，３２ｂ，３２ｃ，３２ｄのうちのいずれか１つを被検出部２１及び検出器２７の入力部２７ａと一直線上に配列することができる。この場合、計測するガンマ線核種に応じて最適な通過孔３２ａ，３２ｂ，３２ｃ，３２ｄを選択すればよく、ガンマ線のエネルギが大きいガンマ線核種ほど、小さい通過孔３２ａ，３２ｂ，３２ｃ，３２ｄを選択すればよい。
【００３７】
また、コリメータ２６は、本体３１に各通過孔３２ａ，３２ｂ，３２ｃ，３２ｄを開閉可能な開閉蓋３４が設けられている。開閉蓋３４は、本体３１における被検出部２１側に移動自在に設けられ、図示しない移動装置により移動可能となっている。この開閉蓋３４は、遮蔽体により構成され、各通過孔３２ａ，３２ｂ，３２ｃ，３２ｄを閉止することで、ガンマ線の通過を制限することができる。
【００３８】
ここで、実施例１のガンマ線核種の計測装置１１によるプロセス溶液から照射されるガンマ線の計測方法について説明する。
【００３９】
計測室１２にて、圧縮空気供給源１９が圧縮空気供給配管２０を通して上昇配管１６に圧縮空気を供給すると、この圧縮空気が上昇配管１６を上昇することで、貯留タンク１４中のプロセス溶液が吸引されて上昇配管１６を上昇し、一次貯留タンク１５に送られる。一次貯留タンク１５に貯留されているプロセス溶液は、下降配管１７を自然落下（重力落下）により下降し、第１遮蔽体２４を貫通する被検出部２１を通って貯留タンク１４に戻って循環する。
【００４０】
このとき、被検出部２１を通るプロセス溶液は、ガンマ線核種を含有しており、被検出部２１からガンマ線が放出されており、一部のガンマ線がコリメータ２６の通過孔３２を通って検出器２７の入力部２７ａに入力する。検出器２７は、ガンマ線を検出し、その検出値を制御部３０に送り、制御部３０は、この検出値からガンマ線のエネルギの大きさに対するカウント数（線量）のグラフを用いてガンマ線核種とその強さ（線量）を求めることができる。
【００４１】
具体的に、制御部３０は、検出器２７の検出値から、図４における左側のグラフに示すように、ガンマ線のエネルギの大きさに対するカウント数（線量）のグラフを作成することができ、３つのガンマ線核種Ａ，Ｂ，Ｃに対する強さ（線量）を把握できる。一方、開閉蓋３４により各通過孔３２ａ，３２ｂ，３２ｃ，３２ｄを閉止すると、エネルギの小さいガンマ線の通過が困難になることから、図４における右側のグラフに示すように、ガンマ線のエネルギの大きな１つのガンマ線核種Ｃに対する強さ（線量）のみを高精度に把握できる。
【００４２】
そのため、制御部３０は、検出器２７の検出値から、図４及び図５における左側のグラフに示すように、３つのガンマ線核種Ａ，Ｂ，Ｃに対する強さ（線量）を把握した後、図４における右側のグラフに示すように、ガンマ線のエネルギの大きな１つのガンマ線核種Ｃに対する強さ（線量）のみを把握し、最初の計測結果から次の計測結果を排除することで、図５における右側のグラフに示すように、ガンマ線のエネルギの小さい２つのガンマ線核種Ａ，Ｂに対する強さ（線量）のみを把握することができる。
【００４３】
このように実施例１のガンマ線核種の計測装置にあっては、プロセス溶液を流通可能な下降配管１７における被検出部２１と、被検出部２１に対向配置されるコリメータ２６と、コリメータ２６における被検出部２１とは反対側に対向配置される検出器２７と、被検出部２１とコリメータ２６と検出器２７とを取り囲む第１遮蔽体２４とを設けている。
【００４４】
従って、プロセス溶液は下降配管１７における被検出部２１を下降し、このプロセス溶液から照射されるガンマ線がコリメータ２６を通して検出器２７に入ることとなり、検出器２７はプロセス溶液中のガンマ線の強度、つまり、線量をオンラインで高精度に計測することができ、ガンマ線核種を迅速で高精度に計測することができる。また、下降配管１７における被検出部２１とコリメータ２６と検出器２７が第１遮蔽体２４により取り囲まれていることから、プロセス溶液から照射されるガンマ線の外部への漏洩を防止することができる。
【００４５】
この場合、プロセス溶液は、使用済核燃料を再処理する過程で発生する溶液であることから、非常に高いガンマ線を照射するものであり、このように線量の高いガンマ線核種であっても、迅速で高精度に計測することができ、使用済核燃料の再処理作業の作業性を向上することができる。
【００４６】
実施例１のガンマ線核種の計測装置では、貯留タンク１４と一次貯留タンク１５と上昇配管１６と下降配管１７によりプロセス溶液が循環される循環経路を構成することで、検出器２７は、循環するプロセス溶液中のガンマ線の強度をオンラインで連続して計測することとなり、計測精度を向上することができる。
【００４７】
実施例１のガンマ線核種の計測装置では、第１遮蔽体２４と循環経路（貯留タンク１４、一次貯留タンク１５、上昇配管１６、下降配管１７）を取り囲む第２遮蔽体１３を設けている。従って、被検出部２１とコリメータ２６と検出器２７が第１遮蔽体２４により取り囲まれ、装置全体が第２遮蔽体１３により取り囲まれることから、ガンマ線の外部漏洩を確実に防止し、安全性を向上することができる。
【００４８】
実施例１のガンマ線核種の計測装置では、検出器２７を取り囲む補助遮蔽体２８を設けている。従って、検出器２７は、補助遮蔽体２８により取り囲まれることで、入力部２７ａ以外の位置にガンマ線が照射されることはなく、検出器２７の劣化を防止することができる。
【００４９】
実施例１のガンマ線核種の計測装置では、コリメータ２６に通路断面積の大きさが相違する複数の通過孔３２（３２ａ，３２ｂ，３２ｃ，３２ｄ）を設け、この複数の通過孔３２（３２ａ，３２ｂ，３２ｃ，３２ｄ）を被検出部２１に対向する位置に選択的に移動可能としている。従って、ガンマ線核種の種類に応じて、コリメータ２６における各通過孔３２（３２ａ，３２ｂ，３２ｃ，３２ｄ）を選択的に被検出部２１に対向する位置に移動することで、異なるガンマ線核種の強度を高精度に計測することができる。
【実施例２】
【００５０】
図７は、本発明の実施例２に係るガンマ線核種の計測装置を表す概略構成図である。なお、上述した実施例と同様の機能を有する部材には、同一の符号を付して詳細な説明は省略する。
【００５１】
図７に示すように、実施例２のガンマ線核種の計測装置５１において、２つの計測室５２，５３は、床と壁と天井が第２遮蔽体５４により形成されており、外部へのガンマ線の漏洩が防止されている。第１計測室５２は、貯留タンク１４が設置され、内部にガンマ線を計測するプロセス溶液が貯留されている。一次貯留タンク１５は、この貯留タンク１４の上方に配置され、貯留タンク１４から一次貯留タンク１５へ向けて上昇配管１６が設けられ、一次貯留タンク１５から貯留タンク１４へ向けて下降配管１７が設けられている。
【００５２】
上昇配管１６は、フィルタ１８を介して貯留タンク１４中のプロセス溶液に浸漬すると共に、圧縮空気供給源１９からの圧縮空気供給配管２０が貯留タンク１４中のプロセス溶液の浸漬位置に連結されている。下降配管１７は、中間部が迂回して所定長さの被検出部２１が形成されており、この被検出部２１が第２遮蔽体５４の壁５４ａを貫通して第２計測室５３側に配置されている。また、一次貯留タンク１５は、貯留するプロセス溶液から発生するガスを排出するガス排出配管２２が上部に連結されており、このガス排出配管２２は、図示しないオフガス処理装置に連結されている。
【００５３】
第２計測室５３は、第２遮蔽体５４により形成された壁５４ａに第１遮蔽体５５が固定されており、この第１遮蔽体５５は、壁５４ａから第２計測室５３側へ水平に延設されている。この第１遮蔽体５５は、内部に第２計測室５３に開口する収容部５５ａが設けられている。そして、下降配管１７は、被検出部２１が第１遮蔽体５５の収容部５５ａを上下に貫通しており、収容部５５ａに被検出部２１に対向するコリメータ２６が配置されている。
【００５４】
また、検出器２７は、補助遮蔽体５６内に設けられ、この補助遮蔽体５６は、第２計測室５３側から第１遮蔽体５５の収容部５５ａに嵌合して固定されることで、検出器２７は、コリメータ２６における被検出部２１とは反対側の位置に対向して配置されることとなる。この場合、補助遮蔽体５６は、コリメータ２６と対向する位置に貫通孔５６ａが形成されている。そして、検出器２７は、ケーブル２９を介して制御部３０に接続されている。
【００５５】
このため、下降配管１７における被検出部２１とコリメータ２６と検出器２７は、第１遮蔽体５５に取り囲まれ、循環経路（貯留タンク１４、一次貯留タンク１５、上昇配管１６、下降配管１７）と第１遮蔽体５５（被検出部２１、コリメータ２６、検出器２７）は、第２遮蔽体５４に取り囲まれることとなる。
【００５６】
ここで、実施例２のガンマ線核種の計測装置５１によるプロセス溶液から照射されるガンマ線の計測方法について説明する。
【００５７】
第１計測室５２にて、圧縮空気供給源１９が圧縮空気供給配管２０を通して上昇配管１６に圧縮空気を供給すると、この圧縮空気が上昇配管１６を上昇することで、貯留タンク１４中のプロセス溶液が吸引されて上昇配管１６を上昇し、一次貯留タンク１５に送られる。一次貯留タンク１５に貯留されているプロセス溶液は、下降配管１７を自然落下（重力落下）により下降し、第１遮蔽体５５を貫通する被検出部２１を通って貯留タンク１４に戻って循環する。
【００５８】
このとき、第２計測室５３にて、被検出部２１を通るプロセス溶液は、ガンマ線核種を含有しており、被検出部２１からガンマ線が放出されており、一部のガンマ線がコリメータ２６の通過孔３２を通って検出器２７の入力部２７ａに入力する。検出器２７は、ガンマ線を検出し、その検出値を制御部３０に送り、制御部３０は、この検出値からガンマ線のエネルギの大きさに対するカウント数（線量）のグラフを用いてガンマ線核種とその強さ（線量）を求めることができる。
【００５９】
このように実施例２のガンマ線核種の計測装置にあっては、プロセス溶液を流通可能な下降配管１７における被検出部２１と、被検出部２１に対向配置されるコリメータ２６と、コリメータ２６における被検出部２１とは反対側に対向配置される検出器２７と、被検出部２１とコリメータ２６と検出器２７とを取り囲む第１遮蔽体５５とを設けている。
【００６０】
従って、プロセス溶液は下降配管１７における被検出部２１を下降し、このプロセス溶液から照射されるガンマ線がコリメータ２６を通して検出器２７に入ることとなり、検出器２７はプロセス溶液中のガンマ線の強度、つまり、線量をオンラインで高精度に計測することができ、ガンマ線核種を迅速で高精度に計測することができる。また、下降配管１７における被検出部２１とコリメータ２６と検出器２７が第１遮蔽体５５により取り囲まれていることから、プロセス溶液から照射されるガンマ線の外部への漏洩を防止することができる。
【００６１】
実施例２のガンマ線核種の計測装置では、貯留タンク１４と一次貯留タンク１５と上昇配管１６と下降配管１７からなる循環経路を第１計測室５２に配置し、被検出部２１とコリメータ２６と検出器２７などからなる計測装置５１を第２計測室５３に配置している。従って、計測装置５１が配置された第２計測室５３を２重の遮蔽体５４，５５により遮蔽することで、安全性を向上することができる。
【符号の説明】
【００６２】
１１，５１  ガンマ線核種の計測装置
１２，５２，５３  計測室
１３，５４  第２遮蔽体
１４  貯留タンク（循環経路）
１５  一次貯留タンク（循環経路）
１６  上昇配管（循環経路）
１７  下降配管（循環経路）
２１  被検出部
２４，５５  第１遮蔽体
２５  制御室
２６  コリメータ
２７  検出器
２８，５６  補助遮蔽体
３０  制御部
【図１】
2014095605.tif 000003
【図２】
2014095605.tif 000004
【図３】
2014095605.tif 000005
【図４】
2014095605.tif 000006
【図５】
2014095605.tif 000007
【図６】
2014095605.tif 000008
【図７】
2014095605.tif 000009